(57)【要約】【課題】ジェル状歯磨きを歯ブラシ上に目視にたよらずとも必要量をいわば自動的に歯ブラシ上に取り出し、しかもジェル状歯磨きが不必要に歯ブラシ中に沈潜せず口腔内にあって直ちに良好な分散性を発揮できる口腔ケアキットの提供を目的としている。【解決手段】歯磨き剤とこの歯磨き剤の小出し容器とからなる口腔ケアキットであって、前記小出し容器は手動プッシュにより所定量を噴出する容器であり、歯磨き剤は含水量が多くて口腔内で好ましい流動性を有するとともに、歯ブラシ上での保型性および口腔内での分散性の双方が良好な状態を保持するために、キサンタンガム、クロフサスグリ葉水、グリセリンを適量含有するジェル状歯磨き剤で構成した口腔ケアキットの提供により、上記課題を解決する。【選択図】  図１
2015016182.tif 000002
【特許請求の範囲】
【請求項１】
歯磨き剤とこの歯磨き剤の小出し容器とからなる口腔ケアキットであって、前記小出し容器は手動プッシュにより所定量を噴出する容器であることを特徴とする口腔ケアキット。
【請求項２】
請求項１記載の口腔ケアキットにおいて、歯磨き剤は含水量が多くて好ましい流動性を有するとともに、歯ブラシ上での保型性および口腔内での分散性の双方が良好な状態を保持するために、キサンタンガム、クロフサスグリ葉水、グリセリンを適量含有するジェル状歯磨き剤であることを特徴とする口腔ケアキット。
【請求項３】
請求項１又は２記載の口腔ケアキットにおいて、前記手動プッシュによる動作する小出し容器はポンプアクション動作により所定量を噴出する容器であることを特徴とする口腔ケアキット。
【請求項４】
請求項３記載の口腔ケアキットにおいて、ポンプアクション動作により所定量を噴出する容器はプッシュ動作のストッパーと噴出口カバーとを具えたことを特徴とする口腔ケアキット。
【発明の詳細な説明】
【技術分野】
【０００１】
本願発明は、歯磨き剤とこの歯磨き剤の小出し容器とからなる口腔ケアキットであって、なお詳しくは含水量が多くて好ましい流動性を有するとともに、歯ブラシ上での保型性および口腔内での分散性の双方が良好な状態を保持するは磨き剤とこの歯磨き剤を一動作により所定量を噴出できる小出し容器からなる口腔ケアキットに関するものである。
【背景技術】
【０００２】
歯磨き剤は、う蝕、歯周疾患、口臭の予防等、口腔内の清潔を保つためには不可欠なものであるが、これらの歯磨き剤は、歯ブラシの上に載せた状態で口腔内に挿入し、ブラッシングすることにより口腔内に分散されるようになっている。  このため、これらの歯磨き剤を使って歯磨きをするには、適量を歯ブラシにとるため、歯ブラシ上での量を目測しながらチューブ等の歯磨き剤容器から取り出す。
【０００３】
一方、今日では、この練り歯磨き剤よりも水分含有量の多い液状またはジェル状の歯磨き剤が提案されているが、このジェル状歯磨き剤は、歯ブラシとともに口腔内にいれて歯磨きをしたとき、従来の練り歯磨き剤よりかなり分散性にすぐれ、口腔の隅々まですみやかに歯磨き剤が分散するという非常に好ましい効果を有する。
なお、本願に関しては以下の先行技術が存在している。
【特許文献１】特開平０５−１０５６１７号公報
【特許文献２】特表２００４−５２７５２７号公報
【特許文献３】特表２００４−５１０８０１号公報
【発明の開示】
【発明が解決しようとする課題】
【０００４】
しかしながら、従来ジェル状の歯磨きは保型性に問題があり、歯ブラシの上に載せたとき、一定の形を保つことができず、そのほとんどが歯ブラシの植毛部の中に染み込んでしまう。このため、使用者はどのくらいの歯磨き剤を歯ブラシの上に載せたのか外観上目測できないという欠点があった。
かくして、本発明は、歯ブラシ上に目視にたよらずとも必要量をいわば自動的に歯ブラシ上に取り出し、しかもジェル状歯磨きが不必要に歯ブラシ中に沈潜せず口腔内にあって直ちに良好な分散性を発揮できる口腔ケアキットの提供を目的としている。
【課題を解決するための手段】
【０００５】
本願発明、歯磨き剤とこの歯磨き剤の小出し容器とからなる口腔ケアキットであって、
前記小出し容器は手動プッシュにより所定量を噴出する容器でからなる口腔ケアキットを提供して、上記従来の課題を解決しようとするものである。
【０００６】
また、上記段落０００５記載の口腔ケアキットにおいて、歯磨き剤は含水量が多くて好ましい流動性を有するとともに、歯ブラシ上での保型性および口腔内での分散性の双方が良好な状態を保持するために、キサンタンガム、クロフサスグリ葉水、グリセリンを適量含有するジェル状歯磨き剤からなる口腔ケアキットを提供して、上記従来の課題を解決しようとするものである。
【０００７】
さらに、上記段落０００５又は０００６記載の口腔ケアキットにおいて、前記手動プッシュによる動作する小出し容器はポンプアクション動作により所定量を噴出する容器で構成することがある。
【０００８】
またさらに、上記段落０００７記載の口腔ケアキットにおいて、ポンプアクション動作により所定量を噴出する小出し容器はプッシュ動作のストッパーと噴出口カバーとを具えた構成となすことがある。
【発明の効果】
【０００９】
本願発明にあっては上記構成により、歯ブラシ上に目視にたよらずとも必要量をいわば自動的に歯ブラシ上に取り出し、しかもジェル状歯磨きが不必要に歯ブラシ中に沈潜せず口腔内にあって直ちに良好な分散性を発揮できるので、適正な口腔ケアを老若男女を問わず適性に実行でき、歯磨きジェルの浪費も発生しない。
【実施例】
【００１０】
次に、図面により本願発明の１実施例を説明する。  図１は、本願発明である口腔ケアキットの１実施例を示す側面図である。  図において、１は、小出し容器２とこの小出し容器２内に収納されるジェル状歯磨き剤とからなる口腔ケアキットの側面図である。
【００１１】
小出し容器２は、樹脂製でジェル状歯磨き３を収納した本体部４と、本体部４の口部に装着されるポンプアクション部５とを具えており、ポンプアクション部５のプッシュレバー６の一端の噴出口６aにはカバー７が嵌合されていて、このカバーは、後述のストッパー８と一体に形成されている。
【００１２】
図２（a）は、ポンプアクション部５の側面図であり、図において６はジェル状歯磨き３が通過する中空部を有するプッシュレバー、６aは前記中空部に臨みプッシュレバー６の一端に形成される噴出口で、この噴出口６aからプッシュレバー６の押し下げによりジェル状歯磨き３を本体部４から吸引するとともにこのジェル状歯磨きが所定量排出されるようになっている。
【００１３】
また、９はポンプアクション部５を本体部４の口部に装着固定する蓋体である。  そして、１０はポンプアクション部５の動作部であり、内部のピストン（不図示）が動作パイプ６ｂを介してプッシュレバー６に連結されている。  なお、１１は前記動作部１０に連通する吸引パイプである。
【００１４】
図２（ｂ）ならびに図２（ｃ）は、それぞれ噴出口６aのカバー７と一体に形成されるストッパー８を示す、それぞれ側面図ならびに平面図である。  図示のように、一端にはカバー７が形成され、他端にはストッパー８が形成されている。  ストッパー８は図２（ｃ）に示すように、断面半円状をなしていて、この部分が前記動作パイプ６ｂに嵌合されてプッシュレバー６の作動を停止させるようになっている。また、ストッパー８の所定部位への装着に併せてカバー７がプッシュレバー６の噴出口６aに勘合されることになる。
【００１５】
当該実施例に係るジェル状歯磨きは、以下のような組成を有している。  すなわち、グリセリン、クロフサスグリ葉水、含水シリカ、水、ビターオレンジ花水、キシリトール、ソルビトール、デジルグルコシド、キサンタンガム、オレンジ油、安息香酸Na、ソルビン酸Kであり、保型性および口腔内での分散性の双方が良好な状態を保持するために、キサンタンガム、クロフサスグリ葉水、グリセリンの混合量を適正値に設定してある。
【００１６】
次に、当該実施例に係る口腔ケアキットの作用を説明する。  まず、ポンプアクション部５において、プッシュレバー６のプッシュ動作による圧力により本体部４内のジェル状歯磨きが吸引パイプ１１を介して動作部１０内に移動するのに併せて所定量のジェル状歯磨きが動作パイプ６ｂ、プッシュレバー６の中空部を介して噴出口６aから排出される。
噴出口６aからのジェル状は磨きの排出量は、通常葉ブラシに乗せる量を見定めてその量が排出されるように動作部１０による動作パイプ６ｂへの圧送量を予め設定しておく。
【００１７】
以上のように、本願発明によればレバーのワンアクションにより通常の歯磨きに必要な量のジェル状歯磨きが歯ブラシの上にいわば自動的に排出され、しかもジェル状葉磨きは適切な保型性と分散性を有しているので歯ブラシの奥に沈潜することなく口中において直ちに分散するので口腔ケアを快適、容易かつ安定的に実行することができる。
【図面の簡単な説明】
【００１８】
【図１】本願発明である口腔ケアキットの１実施例を示す側面図である。
【図２】ポンプアクション部ならびにストッパーの説明図である。
【符号の説明】
【００１９】
１．．．．．．．口腔ケアキット
２．．．．．．．小出し容器
３．．．．．．．ジェル状歯磨き
４．．．．．．．本体部
５．．．．．．．ポンプアクション部
６．．．．．．．プッシュレバー
【図１】
2015016182.tif 000003
【図２】
2015016182.tif 000004